(57)【要約】【課題】  足場を用いず、パネルの取り付け固定作業を素早く短時間で行うことができる壁形成材および壁構造を提供する。【解決手段】  パネル受け体１３を１段目のパネル受け体１３群を所定の間隔で下地３１に固定し、パネル８の第１のパネル顎部５と隣のパネル８の第２のパネル顎部７をパネル受け体本体９内に上方から次々と差し込んでいって第１段目の壁を形成し、第１段目の壁の上に一段目のパネル載体２０群を後立ち下がり部位１７を１段目のパネル受け体１３の上方にタップビスで固定セットし、次に２段目のパネル受け体１３群を所定の間隔で下地３１に固定するとともに一段目のパネル載体２０の後立ち上り部位１６を２段目のパネル受け体１３の下方にタップビスで固定し、パネル８の第１のパネル顎部と隣のパネルの第２のパネル顎部７をパネル受け体本体２内に上方から次々に差し込んでいって第２段目の壁を形成していくことを格段で行っていって壁を完成させる。【選択図】図１
2010047921.tif 000002
【特許請求の範囲】
【請求項１】
パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる構造物の壁を形成するパネルと、
差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる前記構造物に固定されるパネル受け体とからなることを特徴とする壁形成材。
【請求項２】
パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる構造物の壁を形成するパネルと、
差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる前記構造物に固定されるパネル受け体と、
前記パネル受け体に差し込まれた前記第１のパネル顎部および前記第２のパネル顎部と前記パネル受け体本体との間に形成される第１の隙間、あるいは前記第１のパネル顎部および前記第２のパネル顎部と前記第１の抜け阻止顎部および前記第２の抜け阻止顎部との間に形成される第２の隙間、前記第１の隙間あるいは前記第２の隙間に差し込まれ、充填されあるいは前記パネル受け体側からねじ込まれて、該第１のパネル顎部および該第２のパネル顎部の動きを抑えるあるいはその動きを狭い範囲に規制するパネル規制体とからなることを特徴とする壁形成材。
【請求項３】
構造物に縦に固定されたパネル受け体にパネルが取り付けられる構成において用いるパネル載体であって、下のパネル受け体および下のパネルの上に位置するとともに、上に位置する上のパネル受け体の下に位置し且つ上のパネルが載るパネル載り部、このパネル載り部の後側に立ち上げられた後立ち上り部位、前記パネル載り部の後側に立ち下げられた後立ち下がり部位、前記パネル載り部の前側で前記下のパネルの前に立ち下げられる前立ち下がり部位とからなるとともに、前記後立ち上り部位および前記後立ち下がり部位があるいはいずれか一方が前記パネル受け体とその横隣のパネル受け体の後面にネジ、ビス、熔接などの固定手段により固定されるパネル載体を設けてなることを特徴とする請求項１、２いずれか記載の壁形成材。
【請求項４】
構造物の壁を形成する壁構造であって、
前記構造物の骨組みに設けられた壁材を取り付け保持するための胴縁、間柱などの下地と、
この下地に配列固定された多数のパネル受け体と、
このパネル受け体に外れないように係止された多数のパネルとからなり、
前記パネルが、パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる形態であり、
前記パネル受け体が、差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる形態であることを特徴とする壁構造。
【請求項５】
構造物の壁を形成する壁構造であって、
前記構造物の骨組みに設けられた壁材を取り付け保持するための胴縁、間柱などの下地と、
この下地に配列固定された多数のパネル受け体と、
このパネル受け体に外れないように係止された多数のパネルとからなり、
このパネルの動きを抑えるあるいは規制する該パネル受け体に差し込まれてなるパネル規制体とからなり、
前記パネルが、パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる形態であり、
前記パネル受け体が、差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる形態であり、
前記パネル規制体が、前記パネル受け体に差し込まれた前記第１のパネル顎部および前記第２のパネル顎部と前記パネル受け体本体との間に形成される第１の隙間、あるいは前記第１のパネル顎部および前記第２のパネル顎部と前記第１の抜け阻止顎部および前記第２の抜け阻止顎部との間に形成される第２の隙間、前記第１の隙間あるいは前記第２の隙間に差し込まれ、充填されあるいは前記パネル受け体側からねじ込まれて、該第１のパネル顎部および該第２のパネル顎部の動きを抑えるあるいはその動きを狭い範囲に規制する形態であることを特徴とする壁構造。
【請求項６】
下地に縦にパネル受け体を固定してなる壁構造であって、下のパネル受け体および下のパネルの上に位置するとともに、上に位置する上のパネル受け体の下に位置し且つ上のパネルが載るパネル載り部、このパネル載り部の後側に立ち上げられた後立ち上り部位、前記パネル載り部の後側に立ち下げられた後立ち下がり部位、前記パネル載り部の前側で前記下のパネルの前に立ち下げられる前立ち下がり部位とからなるとともに、前記後立ち上り部位および前記後立ち下がり部位があるいはいずれか一方が前記パネル受け体とその横隣のパネル受け体の後面にネジ、ビス、熔接などの固定手段により固定されるパネル載体を、前記下パネルと前記上パネルの間に設けてなることを特徴とする請求項４、５いずれか記載の壁構造。  
【発明の詳細な説明】
【技術分野】
【０００１】
本発明は、構造物の特に外壁に適した壁形成材および壁構造に関する。
【背景技術】
【０００２】
従来において構造物の外壁を形成する施工方法には次の施工が知られている。
（１）構造物の周囲に足場を形成して、その足場から作業者がパネルを前側からネジ止めなどにより固定する、足場からの取り付け施工が知られている。
（２）下地側にパネルを受け固定するための多数のねじ通し穴あるいはボルトを有するパネル受け体を設け、クレーンによりパネルを前側から吊り状態にして取付部位に位置合わさせておいて、構造物の内側から作業者がネジによりパネル受け体に固定する、外吊り取り内側取り付け施工が知られている。
【特許文献１】特になし
【非特許文献１】特になし
【発明の開示】
【発明が解決しようとする課題】
【０００３】
足場からの取り付け施工は、足場の経費およびその組み立て撤去に多大な時間が浪費されるとともに、多数のネジによりパネルを下地に固定する作業であるためにパネルの取り付け固定作業に時間がかかる、作業者の落下事故の危険があるなどの問題を持つものである。
また、外吊り内側取り付け施工は、多数のボルトあるいはナットによりパネルを下地に固定するものであるので、パネルの取り付け固定作業に時間がかかるという問題を持つものであった。
【０００４】
本発明は以上のような従来技術の持つ問題点に鑑みてなされたものであって、足場を用いず、パネルの取り付け固定作業を素早く短時間で行うことができる壁形成材および壁構造を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためであって、本発明の技術的範囲をそれらのみに限定するものではない。
【課題を解決するための手段】
【０００６】
上記目的を達成するために、本発明は次に述べるような構成としている。
＜請求項１記載の発明＞
パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる構造物の壁を形成するパネルと、
差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる前記構造物に固定されるパネル受け体とからなることを特徴とする壁形成材である。
パネル受け体の構造物への固定は縦向き固定と横向き固定があり、パネル受け体の縦向き固定ではパネルの嵌りレール部は上から降ろし形態（降ろしスライド形態）で差し込まれ、パネル受け体の横向き固定ではパネルの嵌りレール部は横から水平スライド形態で差し込まれる。
＜請求項２記載の発明＞
パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる構造物の壁を形成するパネルと、
差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる前記構造物に固定されるパネル受け体と、
前記パネル受け体に差し込まれた前記第１のパネル顎部および前記第２のパネル顎部と前記パネル受け体本体との間に形成される第１の隙間、あるいは前記第１のパネル顎部および前記第２のパネル顎部と前記第１の抜け阻止顎部および前記第２の抜け阻止顎部との間に形成される第２の隙間、前記第１の隙間あるいは前記第２の隙間に差し込まれ、充填されあるいは前記パネル受け体側からねじ込まれて、該第１のパネル顎部および該第２のパネル顎部の動きを抑えるあるいはその動きを狭い範囲に規制するパネル規制体とからなることを特徴とする壁形成材である。
「第１の隙間」「第２の隙間」は、パネル顎部、抜け阻止顎部が水平形態であれば、対抗面が水平であればその隙間はどこも同じ距離となるが、パネル顎部、抜け阻止顎部が傾斜形態ないし湾曲形態であったり、あるいは対抗面が傾斜形態ないし湾曲形態である場合は隙間の距離は部分により異なることになる。このように隙間の距離が部分により異なる形態においては、どの部分でもパネル規制体による規制が行われる形態は本願発明の技術的範疇である。
＜請求項３記載の発明＞
請求項１、２いずれか記載の発明の構成において、構造物に縦に固定されたパネル受け体にパネルが取り付けられる構成において用いるパネル載体であって、下のパネル受け体および下のパネルの上に位置するとともに、上に位置する上のパネル受け体の下に位置し且つ上のパネルが載るパネル載り部、このパネル載り部の後側に立ち上げられた後立ち上り部位、前記パネル載り部の後側に立ち下げられた後立ち下がり部位、前記パネル載り部の前側で前記下のパネルの前に立ち下げられる前立ち下がり部位とからなるとともに、前記後立ち上り部位および前記後立ち下がり部位があるいはいずれか一方が前記パネル受け体とその横隣のパネル受け体の後面にネジ、ビス、熔接などの固定手段により固定されるパネル載体を設けてなることを特徴とする壁形成材である。
＜請求項４記載の発明＞
構造物の壁を形成する壁構造であって、
前記構造物の骨組みに設けられた壁材を取り付け保持するための胴縁、間柱などの下地と、
この下地に配列固定された多数のパネル受け体と、
このパネル受け体に外れないように係止された多数のパネルとからなり、
前記パネルが、パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる形態であり、
前記パネル受け体が、差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる形態であることを特徴とする壁構造である。
＜請求項５記載の発明＞
構造物の壁を形成する壁構造であって、
前記構造物の骨組みに設けられた壁材を取り付け保持するための胴縁、間柱などの下地と、
この下地に配列固定された多数のパネル受け体と、
このパネル受け体に外れないように係止された多数のパネルとからなり、
このパネルの動きを抑えるあるいは規制する該パネル受け体に差し込まれてなるパネル規制体とからなり、
前記パネルが、パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる形態であり、
前記パネル受け体が、差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる形態であり、
前記パネル規制体が、前記パネル受け体に差し込まれた前記第１のパネル顎部および前記第２のパネル顎部と前記パネル受け体本体との間に形成される第１の隙間、あるいは前記第１のパネル顎部および前記第２のパネル顎部と前記第１の抜け阻止顎部および前記第２の抜け阻止顎部との間に形成される第２の隙間、前記第１の隙間あるいは前記第２の隙間に差し込まれ、充填されあるいは前記パネル受け体側からねじ込まれて、該第１のパネル顎部および該第２のパネル顎部の動きを抑えるあるいはその動きを狭い範囲に規制する形態であることを特徴とする壁構造である。
＜請求項６記載の発明＞
請求項４、５いずれか記載の発明の構成において、下地に縦にパネル受け体を固定してなる壁構造であって、下のパネル受け体および下のパネルの上に位置するとともに、上に位置する上のパネル受け体の下に位置し且つ上のパネルが載るパネル載り部、このパネル載り部の後側に立ち上げられた後立ち上り部位、前記パネル載り部の後側に立ち下げられた後立ち下がり部位、前記パネル載り部の前側で前記下のパネルの前に立ち下げられる前立ち下がり部位とからなるとともに、前記後立ち上り部位および前記後立ち下がり部位があるいはいずれか一方が前記パネル受け体とその横隣のパネル受け体の後面にネジ、ビス、熔接などの固定手段により固定されるパネル載体を、前記下パネルと前記上パネルの間に設けてなることを特徴とする壁構造である。
【発明の効果】
【０００７】
以上の説明から明らかなように、本発明にあっては次に列挙する効果が得られる。
＜請求項１記載の発明の効果＞
パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる構造物の壁を形成するパネルと、
差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる前記構造物に固定されるパネル受け体とからなることを特徴とする壁形成材であるので、次に述べるような効果を奏する。
（壁の施工）
パネル受け体を縦に構造物に固定しての施工では、１段目のパネル受け体群を所定の間隔で下地に固定し、パネルの第１のパネル顎部と第２のパネル顎部をパネル受け体本体内に上方から次々と差し込んでいって第１段目の壁を形成し、次に２段目のパネル受け体群を所定の間隔で下地に固定し、パネルの第１のパネル顎部と第２のパネル顎部をパネル受け体本体内に上方から次々に差し込んでいって第２段目の壁を形成し、・・・最後に最上段のパネル受け体群を所定の間隔で下地に固定し、パネルの第１のパネル顎部と第２のパネル顎部をパネル受け体本体内に上方から次々に差し込んでいって最後の段の壁を形成して壁を完成させる。
パネル間にパネル載体を設けない壁においては、複数段、全段のパネル受け体群を完成させてから最上段からパネルを次々とスライド下降させて取り付け一気に壁を完成させることも可能である。
この場合、程度はあるがパネル受け体およびパネルは長いものが作業性がよいし、横幅の狭いものであれば、パネル自信の強度も強いものとなり、例えば、厚み１．５ｍｍ程度の薄鋼板という軽量鋼板パネル壁に好適であり、このような軽量パネルにおいては、１人から二人の作業員でパネルの取り回し差込が可能とできるものである。
内側への雨水の浸入があっても問題のない壁構造においては、パネル受け体はパネルの長さと同じである必要はなく、離れた複数のパネル受け体でパネルを支持する形態も良いものである。例えば、一枚のパネルを支持する下地である胴縁に数センチ〜２０センチ程度の長さのパネル受け体をそれぞれ設け、この複数のパネル受け体で一枚のパネルを支持するようにする、仮設囲いなどがあり、この場合、パネル受け体の材料費を安価にできる。
逆に内側への雨水の浸入を防止する壁構造においては、パネル受け体の長さをパネル同士の隙間から侵入する雨水を受け流す樋として機能する長さ、すなわちパネル受け体同士が突き合わさる長さとし、パネル受け体同士の突き合わせ部位には防水材を充填する、挟みつけるなどする。
また、パネル受け体をパネルが複数枚入る長い物にすることもでき、より施工時間を短縮することを可能とできる。
（効果）
（１）下地に固定したパネル受け体にパネルの第１のパネル顎部と第２のパネル顎部をスライド差して嵌め込むだけの簡単な取り付け作業だけでパネルの取り付けが完了するので、壁の施工時間が短時間である。
（２）構造物内からの取り付け作業が行えるので、外に足場を組む必要がない。
取り付け作業中にパネルが落下しないように、ロープなどの吊り手段で吊った状態で行うのがよく、パネルが軽量であるなら一人の作業者で行うことが可能である。
（３）差込のみによるパネルが保持される構造であるので、パネル顎部がパネル本体を折り曲げて形成したものでは、壁前側にパネル以外のものが無い（ネジ、ビス、固定金具などが無い）、景観性、美観性のよい壁を実現するという効果を奏する。
＜請求項２記載の発明の効果＞
パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる構造物の壁を形成するパネルと、
差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる前記構造物に固定されるパネル受け体と、
前記パネル受け体に差し込まれた前記第１のパネル顎部および前記第２のパネル顎部と前記パネル受け体本体との間に形成される第１の隙間、あるいは前記第１のパネル顎部および前記第２のパネル顎部と前記第１の抜け阻止顎部および前記第２の抜け阻止顎部との間に形成される第２の隙間、前記第１の隙間あるいは前記第２の隙間に差し込まれ、充填されあるいは前記パネル受け体側からねじ込まれて、該第１のパネル顎部および該第２のパネル顎部の動きを抑えるあるいはその動きを狭い範囲に規制するパネル規制体とからなることを特徴とする壁形成材であるので、請求項１記載の発明と同様な効果を奏するとともに次に述べるような効果を奏する。
（１）パネル受け体内に在る第１のパネル顎部および第２のパネル顎部は動かせる隙間の中にあるので、パネルを外側および内側あるいはいずれか一方に傾かせることができるので、湾曲の壁体や多角の壁体を形成することができるとともに、そのような傾きパネル状態としてパネル規制体によって該パネルの動きを抑えるないし規制した壁体を実現するという効果を奏する。
（２）下地が外に膨らむ湾曲下地である場合、パネルは内側に傾けた形態でパネル受け体にセットされるのであるが、この場合のパネル顎部は水平取り付けより内側に位置されて隙間が狭くなるのであるが、差し込み式のパネル規制体は別体であるのでその隙間に合わせた前後幅のパネル規制体とすることで対応できる、充填式のパネル規制体はどのような状態でも対応できる、ネジのねじ込み式はどのような状態でも対応できるという効果を奏する。
差し込み式のパネル規制体は、隙間を埋めるだけの幅のものだけを権利範囲とするものではなく、例えば、一枚の板材からなるパネル規制体をパネル受け体の外からボルトやビスなどを通して、そのボルトやビスなどでパネル規制体をパネル顎に押し付けてパネルを抑える形態なども権利範囲に含むものである。
また、その断面形状も、コの字形態、への字形態、湾曲形態、一の字形態など多様な形態のものを権利範囲に含むものである。
＜請求項３記載の発明の効果＞
請求項１、２いずれか記載の発明の構成において、構造物に縦に固定されたパネル受け体にパネルが取り付けられる構成において用いるパネル載体であって、下のパネル受け体および下のパネルの上に位置するとともに、上に位置する上のパネル受け体の下に位置し且つ上のパネルが載るパネル載り部、このパネル載り部の後側に立ち上げられた後立ち上り部位、前記パネル載り部の後側に立ち下げられた後立ち下がり部位、前記パネル載り部の前側で前記下のパネルの前に立ち下げられる前立ち下がり部位とからなるとともに、前記後立ち上り部位および前記後立ち下がり部位があるいはいずれか一方が前記パネル受け体とその横隣のパネル受け体の後面にネジ、ビス、熔接などの固定手段により固定されるパネル載体を設けてなることを特徴とする壁形成材であるので、請求項１、２いずれか記載の発明と同様な効果を奏するとともに、次に述べるような効果を奏する。
下のパネルとその上のパネルの間および下のパネル受け体とその上のパネル受け体の間に設けるパネル載体なのであるが、前記後立ち上り部位および前記後立ち下がり部位があるいはいずれか一方が前記パネル受け体とその横隣のパネル受け体の後面にネジ、ビス、熔接などの固定手段により固定されるようにしてなる構成、すなわち、一段ごとのパネル受け体とパネル載体が共同して一枚のパネルを載せてその荷重を受ける構成を実現するものであるので、数十段、数百段のパネル壁を有する数十メートル、数百メートルというような高層構造物の特に軽量壁を堅固な形態で実現するものである。
また、後立ち上り部位と前立ち下がり部位によって、雨が吹き付けても内部に雨水が入るのを阻止する水切りとしても機能するという効果を奏する。
上のパネル載体と下のパネル載体の間に複数のパネルを上下に重ね設けた形態も技術的範疇とするものである。
下地が湾曲している場合は、パネル載体もそれに対応した湾曲形態とするのがよい。
＜請求項４記載の発明の効果＞
構造物の壁を形成する壁構造であって、
前記構造物の骨組みに設けられた壁材を取り付け保持するための胴縁、間柱などの下地と、この下地に配列固定された多数のパネル受け体と、
このパネル受け体に外れないように係止された多数のパネルとからなり、
前記パネルが、パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる形態であり、
前記パネル受け体が、差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる形態であることを特徴とする壁構造であるので、請求項１記載の発明と同様な効果を奏する。
＜請求項５記載の発明の効果＞
構造物の壁を形成する壁構造であって、
前記構造物の骨組みに設けられた壁材を取り付け保持するための胴縁、間柱などの下地と、
この下地に配列固定された多数のパネル受け体と、
このパネル受け体に外れないように係止された多数のパネルとからなり、
このパネルの動きを抑えるあるいは規制する該パネル受け体に差し込まれてなるパネル規制体とからなり、
前記パネルが、パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる形態であり、
前記パネル受け体が、差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる形態であり、
前記パネル規制体が、前記パネル受け体に差し込まれた前記第１のパネル顎部および前記第２のパネル顎部と前記パネル受け体本体との間に形成される第１の隙間、あるいは前記第１のパネル顎部および前記第２のパネル顎部と前記第１の抜け阻止顎部および前記第２の抜け阻止顎部との間に形成される第２の隙間、前記第１の隙間あるいは前記第２の隙間に差し込まれ、充填されあるいは前記パネル受け体側からねじ込まれて、該第１のパネル顎部および該第２のパネル顎部の動きを抑えるあるいはその動きを狭い範囲に規制する形態であることを特徴とする壁構造であるので、請求項２記載の発明と同様な効果を奏する。
＜請求項６記載の発明の効果＞
請求項４、５いずれか記載の発明の構成において、下地に縦にパネル受け体を固定してなる壁構造であって、下のパネル受け体および下のパネルの上に位置するとともに、上に位置する上のパネル受け体の下に位置し且つ上のパネルが載るパネル載り部、このパネル載り部の後側に立ち上げられた後立ち上り部位、前記パネル載り部の後側に立ち下げられた後立ち下がり部位、前記パネル載り部の前側で前記下のパネルの前に立ち下げられる前立ち下がり部位とからなるとともに、前記後立ち上り部位および前記後立ち下がり部位があるいはいずれか一方が前記パネル受け体とその横隣のパネル受け体の後面にネジ、ビス、熔接などの固定手段により固定されるパネル載体を、前記下パネルと前記上パネルの間に設けてなることを特徴とする壁構造であるので、請求項４記載の発明の効果と同様な効果を奏するとともに、請求項２記載の発明と同様な効果を奏する。
【発明を実施するための最良の形態】
【０００８】
以下、図面に示す発明を実施するための最良の形態を詳細に説明する。
【０００９】
＜第１の実施の形態＞
図１ないし図４に示す本発明を実施するための最良の第１の実施の形態において１は壁形成材であって、この壁形成材は次に述べるような構成となっている。
パネル本体２、このパネル本体２の一方の側の内面側３に突出するように設けられた第１の嵌りレール部４、前記パネル本体２の他方の側に前記第１の嵌りレール部４に対抗する形態で設けられた第２の嵌りレール部５、前記第１の嵌りレール部４に内向きに突出した形態で設けられた第１のパネル顎部６、前記第２の嵌りレール部５に内向きに突出した形態で設けられた第２のパネル顎部７を備えてなる構造物の壁を形成するパネル８と、
差込スライド状態で嵌め込まれた前記パネル８を支持するパネル受け体本体９、このパネル受け体本体９の前側面に開口された前記パネル８（８ａ−１）の前記第１の嵌りレール部４およびその隣のパネルである隣のパネル８（８ａ−２）の前記第２の嵌りレール部５が、該パネル受け体本体９の端方からスライド形態で差し通される嵌りレール通部１０、この嵌りレール通部１０を形成する対抗する部位であるとともに、前記パネル受け体本体９内に入った前記パネル８（８ａ−１）の前記第１のパネル顎部６が前記嵌りレール通部１０から抜け出すのを阻止する第１の抜け阻止顎部１１、前記パネル受け体本体９内に入った前記隣のパネル８（８ａ−２）の前記第２のパネル顎部７が前記嵌りレール通部１０から抜け出すのを阻止する第２の抜け阻止顎部１２を備えてなる前記構造物の下地３１（図３参照）にビス、ネジ、熔接などの固定手段２３により固定される（図では前側からタップされたタップビス）パネル受け体１３と、
前記パネル受け体本体９と前記パネル受け体本体９内に入った前記パネル８（８ａ−１）の前記第１のパネル顎部６および該パネル受け体本体９内に入った前記隣のパネル８（８ａ−２）の前記第２のパネル顎部７の間に形成される第１の隙間３２に差し込まれ、前記パネル受け体本体９内に入った前記パネル８（８ａ−１）の前記第１のパネル顎部６および前記隣のパネル８（８ａ−２）の前記第２のパネル顎部７の動きを抑えるあるいはその動きを規制する断面がコの字形態ないしＣの字形態のパネル規制体１４と、
パネル受け体１３が構造物に縦に固定される形態において用いるパネル載体であって、図２、図３の組み立て図に示すように、下のパネル受け体１３（１３ａ―１）、その横隣の下のパネル受け体１３（１３ａ−２）および下のパネル８（８ａ―１）の上に位置するとともに、上に位置する上のパネル受け体１３（１３ｂ−１）と上のパネル受け体１３（１３ｂ−２）の下に位置し且つ上のパネル８（８ｂ−１）が載るパネル載り部１５、このパネル載り部１５の後側に立ち上げられた後立ち上り部位１６、前記パネル載り部１５の後側に立ち下げられた後立ち下がり部位１７、前記パネル載り部１５の前側で前記下のパネル８（８ａ−１）の前に立ち下げられる前立ち下がり部位１８とからなるとともに、前記後立ち上り部位１６および前記後立ち下がり部位１７があるいはいずれか一方（図では両方）が前記パネル受け体１３とその横隣のパネル受け体１３の後部にボルト、ネジ、ビス、熔接などの固定手段１９により固定される（図ではタップビス）パネル載体２０とからなっている。
パネル載体２０の一方の側の前部面には該パネル載体２０と略同形状で、パネル載体２０同士の突合せの隙間ないし向かい合いの隙間から雨水の浸入を防止するためのジョイント部２１が一部（図では半分ほど）を熔接、ネジ止め、接着などにより、パネル本体２０との接合部分から雨水が浸入しないように耐候性の充填材２２（接着剤や粘着剤を含む）による水浸入処理が施されて、一部（図では半分ほど）を突出させて隣のパネル載体２０に被さるように設けられている。
隣のパネル載体に被さる部位は、被せる際にパネル載体２０との間にシリコン製などの耐候性の充填材２２（接着剤、粘着剤を含む）を塗布して、雨水が浸入しないように接合部分を完全に塞ぐ。
これにより、雨水の内側への浸入は完全に防ぐことを実現するとともに、パネル８（８ｂ−１）とパネル８（８ａ−２）との間の隙間からの雨水の浸入は、全て断面がコの字形状のパネル受け体１３の樋機能にそれ以上の浸入が阻止され、パネル受け体１３の内壁を樋とにして伝わって下降してパネル載体２０により外に流出される。
パネル載体２０のセットは、図２、図３に示すようにパネル受け体１３の中央でつき合わせるように設ける取り付け形態に限定されるものではなく、パネル８の適宜な部位で突合せとなる取り付け形態もよいものである。組立図を示す図３ではパネル載体２０を図示せず省略している。
パネル８の長さはパネル受け体１３と同じとする必要はなく、パネル載体２０の前立ち下がり部位１８でパネル８の上部は覆われるので、ジョイント部２１の厚みの分だけ短くするないしそれより短くしてもよい。
（壁の施工）
パネル受け体１３を１段目のパネル受け体１３群を所定の間隔で下地３１に固定し、パネル８の第１のパネル顎部５と隣のパネル８の第２のパネル顎部７をパネル受け体本体９内に上方から次々と差し込んでいって第１段目の壁を形成し、第１段目の壁の上に一段目のパネル載体２０群を後立ち下がり部位１７を１段目のパネル受け体１３の上方にタップビスで固定セットし、次に２段目のパネル受け体１３群を所定の間隔で下地３１に固定するとともに一段目のパネル載体２０の後立ち上り部位１６を２段目のパネル受け体１３の下方にタップビスで固定し、パネル８の第１のパネル顎部と隣のパネルの第２のパネル顎部７をパネル受け体本体２内に上方から次々に差し込んでいって第２段目の壁を形成し、・・・最後に最上段のパネル受け体群を所定の間隔で下地に固定し、パネルの第１のパネル顎部と第２のパネル顎部をパネル受け体本体内に上方から次々に差し込んでいって最後の段の壁を形成して壁を完成させる。
パネル載体２０は後立ち下がり部１７を設けていることによって、パネル受け体１３に載せ該パネル受け体１３の後面上方に後立ち下がり部位１７をタップビスなどで固定するので、その上段のパネル受け体１３の取り付け作業が大変行いやすいという効果を奏する。
【００１０】
パネル受け体本体９後面には固定手段２３（図ではタップビス）を通すためのビス通し孔２５と、パネル規制体１４を押し抑えるボルト２６をボルトをねじ込むネジ孔２７と、パネル載体２０を固定するためのタップビスを切り込むためのビス切り込み孔２９が設けられている。
パネル載体２０の後立ち上り部位１６と後立ち下がり部位１７には、ビス切り込み孔２９に切り込まれる固定手段１９であるタップビスを通すためのビス通し孔２８（ビス切り込み孔２９と重なる）が設けられている。ボルト２６をタップビスとし、ボルトをねじ込むネジ孔２７をビス切り込み孔とするのがよい。
また、ボルト２６をタップビスとし、固定手段２３をタップビスとし、同じタップビスとするのが、作業性がよい。
現場での作業性と位置合わせなどの正確性のために、構造物の下地３１にはパネル受け体１３を固定するための固定手段２３が切りねじ込まれるビス切り込み孔を予め設けておくのが良いことは言うまでもない。
（発明を実施するための異なる形態）
次に、本発明を実施するための異なる形態について説明する。なお、これら本発明を実施するための異なる形態の説明に当たって、前記した実施の形態と同一構成部分には同一符号を付して重複する説明を省略する。
【００１１】
＜第２の実施の形態＞
図５ないし図７に示す本発明を実施するための最良の第２の実施の形態おいて、３５は構造物であって、この構造物３５は３本の煙突３６と、その３本の煙突３６の周りにくみ上げられた骨組３７と、この骨組み３７の外周を囲うように多数段に設けられた円形態の下地３９群と、この下地３９の外側を覆うように形成された囲い壁３８とからなっていて、高さ略２５ｍ、直径略８ｍの天板を有する円筒構造となっている。
囲い壁３８の壁構造は次に述べるようになっている。
パネル３０は、厚み１．２ｍｍ、幅３３４ｍｍ、高さ３０１０ｍｍとしている。
パネル受け体１３は、厚み１．６ｍｍ、高さ３０１０ｍｍとしている。
パネル規制体１４は、厚み１．６ｍｍ、高さ３０１０ｍｍとしている。
パネル載体２０は、幅３３４ｍｍ、前立ち下がり部位１８の立下り８０ｍｍ、後立ち上り部位１６の立ち上がり８０ｍｍ、後立ち下がり部位１８の立下り５０ｍｍとしている。
（１）骨組み３７の外周には円形胴縁形態の下地３９が所定の上下間隔（１段に４本）で設けられ、最下部に水切り４２がセットされ、
（２）下地３９に１段目のパネル受け体１３群が前側から下地３９に向けてタップビス止め（図では固定手段２３）により固定され、１段目のパネル受け体１３群に１段目のパネル３０群が上から差し込まれてセットされ、
（３）１段目のパネル載体２０群および１段目のパネル３０群の上に１段目のパネル載体群２０がセットされ、
（４）前記（２）、（３）を繰り返して８段のパネル群からなる囲い壁３８を形成している。
（５）最上部は煙突の開口を露出させてなる天井板（図示せず）を設け、縁に笠木４６を設ける。
正面の３段目と７段目に明り取り窓４７、４８を形成している。
パネル載体２は、下地３９の円周に対応して円周を形成する一部である湾曲形態となっている。
【００１２】
＜第３の実施の形態＞
図８に示す本発明を実施するための最良の第３の実施の形態において、パネル載体の他の実施の形態を示している。
図８（ａ）においてパネル載体４０は、パネル載体２０とその基本構造を同じにして異なる点は、前立ち下がり部位１８の真上のパネル載り部１５上にパネル８の下部が外に動くのを阻止する突起４１を設け、後立ち上り部位１６と後立ち下がり部位１７の後面に幅２ｍｍ程度で深さ０．５ｍｍ程度の溝８８、８８、８８を設けてなる点にあって、パネル載体４０は幅３３４ｍｍ、前立ち下がり部位１８の立下り８０ｍｍ、後立ち上り部位１６の立ち上がり８０ｍｍ、後立ち下がり部位１８の立下り５０ｍｍとしている。
溝８８はタップビスを該溝上の８８のパネル受け体１３の後面に対応する好みの部位に切りねじ込むための、位置決めであるとともに切りねじ込みをスムーズに行えるようにするためのものである。
パネル載体４０同士を連結し且つ突合せないし突き向かいの隙間に雨水が浸入するのを防止して、完全防水の壁構造を実現するためのジョイント部８９は、パネル載体４０の側面と同形状の該側面より少し大きめの該パネル載体４０が挿入できるパネル載体挿入孔９０を有してなる構成となっている。
パネル載体挿入孔９０とパネル載体４０の間に形成される隙間を完全に埋めるための充填材を塗布あるいは充填した状態で挿入連結する。
ジョイント部８９の後面にも溝８８、８８、８８が設けられているが、ジョイント部８９がパネル受け体１３に被さり位置しなければならないというわけではない。むしろ、パネル受け体１３から外れたパネル８の中程にジョイント部８９を位置させた連結形態が良い場合もある。
パネル載体４０、ジョイント部８９は押出しあるいは抜出し成形によるアルミニウム製のものがよい。
パネル載体４０の後面に溝８８を設けた構成においては、パネル受け体１３側にねじ切り孔などを設けることなく、タップビスをねじ込むことが容易であるので、パネル受け体１３側の加工工程を減らすし、低コスト化を実現する。
図８（ｂ）においてパネル載体４３は、パネル載体２０とその基本構造を同じにして異なる点は、パネル載り部１５上部にパネル８の下部が嵌って前後に動くのを阻止するパネル下部嵌り溝４４を設け、パネル載り部１５下部にパネル８の上部が嵌って前後に動くのを阻止するパネル上部嵌り溝４５を設けてなる点にあって、パネル載体４３は幅３３４ｍｍ、前立ち下がり部位１８の立下り８０ｍｍ、後立ち上り部位１６の立ち上がり８０ｍｍ、後立ち下がり部位１８の立下り５０ｍｍとしている。
パネルの形態や設置条件などによってパネル載体４０、パネル載体４３、パネル載体２０のいずれを使用するか選択することができる。
【００１３】
図９に示す本発明を実施するための最良の第４の実施の形態において、パネルの他の実施の形態を示している。
第１の実施の形態のパネル８と主に異なる点は、板材からなるパネル本体５０と、該パネル本体５０とは別部材で形成した、第１の嵌りレール部４と第１のパネル顎部６を有するレール部材５１と、第２の嵌りレール部５と第２のパネル顎部７を有するレール部材５２とからなり、パネル本体５０にレール部材５１とレール部材５２とを固定してなるパネル５３を形成した点にある。
レール部材５１とレール部材５２の固定は図のようにネジに限られず接着など多様な固定形態があり、その固定位置は両端に限らず、パネル本体５０の端より内側とするのもよい。
パネル本体５０の材質はステンレス、アルミニウムなどの金属製部材、木製、合成樹脂性部材、セラミックス製部材やそれらの組み合わせなど多様な材質、あるいは材質の組み合わせによるものが可能である。
【００１４】
図１０に示す本発明を実施するための最良の第５の実施の形態において、パネルの他の実施の形態を示している。
第１の実施の形態のパネル８と主に異なる点は、パネル本体２の内側に断熱と消音機能を兼ねた断熱消音部材５５を設けたパネル５６を形成した点にある。
【００１５】
図１１に示す本発明を実施するための最良の第６の実施の形態において、パネル規制体の他の実施の形態を示している。
第１の実施の形態のパネル規制体１４と主に異なる点は、第１の嵌りレール部４と第２の嵌りレール部５との間に形成される隙間に差し込まれるレール隙間差し込み部５８を設け、このレール隙間差し込み部５８の先端でパネル８（８ａ−１）のパネル本体２と隣のパネル８（８ａ−２）のパネル本体２の前に該両パネル本体２の一部に被さるように位置されたパネル規制体部位５９を設けてなるパネル規制体６０を形成した点にある。
【００１６】
図１２に示す本発明を実施するための最良の第７の実施の形態において、パネルの他の実施の形態を示している。
第１の実施の形態のパネル８と主に異なる点は、パネル本体を波形パネル形態あるいは筋パネル形態としたパネル本体６２とし、第１の嵌りレール部４、第２の嵌りレール部５を湾曲形態としてなるパネル６３を形成した点にある。
パネル本体に該パネル本体を補強する縦、横、斜め、円弧、何らかの模様などのスリットを設ける形態とするのも良い。
【００１７】
図１３に示す本発明を実施するための最良の第８の実施の形態において６５は壁形成材であって、この壁形成材６５の前記第１の実施の形態と主に異なる点は、パネル規制体を湾曲板部材からなるパネル規制体６６とした点にある。
パネル規制体６６は第１の隙間３２より前後幅が多く取られていて、前後から抑えられるとその湾曲状態を平板側に簡単に広げられる形態の例えば薄い金属製部材や合成樹脂性部材などからなっていて、第１のパネル顎部６および第２のパネル顎部７をその弾性反発力で第１の抜け阻止顎部１および第２の抜け阻止顎部１２に付勢押し付けて抑えるようになっている。
これにより、風圧で押し付けられるパネルの動きを緩衝するとともに、パネル規制体６６もガタツクことがなく、擦れたりぶつかり合ったりしての騒音が生じないように抑制できる。
また、コの字形のパネル規制体より、材料量が少なく、成形も容易であり、平板を重ねたと略同じ重ね体積となるので運送費も軽減でき、パネル受け体１３も薄くでき、全体として低コストを実現するという効果を奏するものである。
あるいはパネル規制体６６は、湾曲形態が前後から抑えても変形しない頑丈な構造となっているものもよい。この場合、パネル規制体６６の前後幅は第１のパネル顎部６および第２のパネル顎部７とパネル受け体１３の間に形成される第１の隙間３２にスムーズに入り且つできるだけ該第１の隙間３２を埋めてガタツキが小さいないし微細に規制される前後幅とするのがよい。具体的には残りの隙間が０．２ｍｍ〜１．０ｍｍ程度（好ましくは：０．２ｍｍ〜０．５ｍｍ）とするのがよい。
このような湾曲形態が前後から抑えても変形しない頑丈な構造としても、コの字形のパネル規制体より、材料量が少なく、成形も容易であり、平板を重ねての運送となるので運送費も軽減でき、パネル受け体１３も薄くでき、全体として低コストを実現するという効果を奏するものである。
【００１８】
図１４に示す本発明を実施するための最良の第９の実施の形態において６９は壁形成材であって、この壁形成材６９の前記第１の実施の形態と主に異なる点は、パネル規制体を一枚の簡単に湾曲させながらパネル受け体に差し込むことができるパネル規制体７０にした点にある。
パネル規制体７０はその左右幅がパネル受け体１３の左右内幅より長く形成された一枚の平板形態であって、パネル受け体１３に左右を抑えられてツッパリ湾曲状態で該パネル受け体１３に簡単に差し込み進行させることができる例えば薄い金属製部材や合成樹脂性部材からなっていて、第１のパネル顎部６および第２のパネル顎部７をその湾曲前面で第１の抜け阻止顎部１および第２の抜け阻止顎部１２を押さえる、あるいは、０．２ｍｍ〜１．０ｍｍ程度（好ましくは：０．２ｍｍ〜０．５ｍｍ）の隙間を空けてのように押し付けるようになっている。
これにより、風圧で押し付けられるパネルの動きを抑えるとともに、ガタツキが小さいないし微細に規制されたものとできるとともに、コの字形のパネル規制体より、材料量が少なく、成形も容易であり、平板を重ねての運送となるので運送費も軽減でき、パネル受け体１３も薄くでき、全体として低コストを実現するという効果を奏するものである。
【００１９】
図１５に示す本発明を実施するための最良の第１０の実施の形態において７２は壁形成材であって、この壁形成材７２の前記第１の実施の形態と主に異なる点は、パネル規制体を使用しない構成とし、第１の嵌りレール部４および第２の嵌りレール部５を湾曲形状とし、パネル本体８の上部と下部に後に直角に折り曲げて形成した上下縁を補強するリブ７３を形成し、パネル受け体１３の構成をパネル受け体本体９と第１の抜け阻止顎部１１および第２の抜け阻止顎部１２との間の隙間を第１のパネル顎部６および第２のパネル顎部７がぎりぎりスムーズに差し込むことができる隙間幅とした点にある。
第１のパネル顎部６および第２のパネル顎部７を内側に湾曲させた形状にして、パネル８をある程度内側や外側に回すことを可能として、パネルのある程度の傾きを可能とするのもよい。
リブ７３は前向きに折り設けたものもよい。
【００２０】
図１６に示す本発明を実施するための最良の第１１の実施の形態において７５は壁形成材であって、この壁形成材７５の前記第１の実施の形態と主に異なる点は、パネル規制体を一枚の平板部材からなるパネル規制体７６とし、パネル受け体１３のネジ孔２７に螺合したボルト２６によってパネル規制体７６押しさらに該パネル規制体７６で第１のパネル顎部６、第２のパネル顎部７を押して、第１のパネル顎部６および第２のパネル顎部７を第１の抜け阻止顎部１１および第２の抜け阻止顎部１２に押し付け状態にする構成にした点にある。
このような構成とすることにより、完全に第１のパネル顎部６および第２のパネル顎部７を抑えた壁構造を実現するとともに、パネル規制体７６が平板部材であるから低コスト、低運送費を実現する。
また、パネルを傾かせてからパネル規制体７６をボルト２６で抑えるので、パネルを傾かせた壁の形成をパネル規制体７６をボルト２６を変えることなく多様なパネルの傾きに対応可能とするものである。
【００２１】
図１７に示す本発明を実施するための最良の第１２の実施の形態において７８は壁形成材であって、この壁形成材７８の前記第１の実施の形態と主に異なる点は、パネル規制体を２本のＬ形棒部材からなるパネル規制体７９とした点にある。
パネル規制体７９、７９は第１のパネル顎部６および第２のパネル顎部７と第１の抜け阻止顎部１１および第２の抜け阻止顎部１２との間に差し込まれて、その第２の隙間３３を埋めてパネル８（パネル８ａ−１）の第１のパネル顎部６および隣のパネル８（パネル８ａ−２）の第２のパネル顎部７の動きを抑えるあるいはその動きを狭い範囲に規制するように機能する。
【００２２】
図１８に示す本発明を実施するための最良の第１３の実施の形態において８１は壁形成材であって、この壁形成材８１の前記第１の実施の形態と主に異なる点は、パネル規制体を発泡樹脂製部材の充填材からなるパネル規制体８２とした点にある。
パネル規制体８２は第１のパネル顎部６および第２のパネル顎部７と第１の抜け阻止顎部１１および第２の抜け阻止顎部１２との間に充填され、その第２の隙間３３の全部をあるいは一部を略完全に埋めてパネル８（パネル８ａ−１）の第１のパネル顎部６および隣のパネル８（パネル８ａ−２）の第２のパネル顎部７の動きを弾性的に抑え規制するように機能する。
充填方法は、パネルより長いか略同等の長さの充填ノズルで、２箇所から４箇所程度を部分的（数センチ〜十数センチ）に埋める形態とするのが低コストにできる。
また、長いノズルに所定量を充填して、充填位置にノズル先端を位置させて、圧縮エアーや押し出しシリンダーで充填材をノズルから排出して充填するのがよい。
トコロテン押し出しポンプのような手動ポンプで行うのが、充填材の無駄も生じることなく装置も安価であり低コストに行うことができる。
【００２３】
図１９に示す本発明を実施するための最良の第１４の実施の形態において８５は壁形成材であって、この壁形成材８５の前記第１の実施の形態と主に異なる点は、パネル規制体１４を使用することなく、ビス、タップビス、ボルトなどのねじ込み部材をパネル規制体として使用したもので、該ねじ込み部材（パネル規制体）によって第１のパネル顎部６および第２のパネル顎部７を抑え規制する構成とした点にある。
具体的には、パネル載体２０をパネル受け体１３に固定するビス、タップビスあるいはボルトなどからなるねじ込み部材である固定手段１９（パネル規制体）によって次のように規制する。
＜第１の規制形態＞固定手段１９の先端が第１のパネル顎部６と第２のパネル顎部７に当接して該第１のパネル顎部６と第２のパネル顎部７を第１の抜け阻止顎部１１と第２の抜け阻止顎部１２に当接させる。
＜第２の規制形態＞固定手段１９の先端が第１のパネル顎部６と第２のパネル顎部７を押して、該第１のパネル顎部６と第２のパネル顎部７を第１の抜け阻止顎部１１と第２の抜け阻止顎部１２に押し付ける（第１のパネル顎部６、第２のパネル顎部７が固定手段１９により第１の抜け阻止顎部１１と第２の抜け阻止顎部１２強く押し付けられ押し凹まされたり、曲げられたりする形態を含む）。
＜第３の規制形態＞固定手段１９の先端と第１の抜け阻止顎部１１および第２の抜け阻止顎部１２の間の狭い隙間で第１のパネル顎部６と第２のパネル顎部７の動きを狭い範囲に規制する。
＜第４の規制形態＞固定手段１９が先端に切削刃の付いたタップビスであって、第１のパネル顎部６と第２のパネル顎部７にネジが切り込まれた状態で規制する。
固定手段１９は最低、上下２箇所ずつ４本使用する。パネルが数ｍと長い物である場合は、中央２箇所の６本の固定手段１９の使用で済む。
パネル規制体１４を用いないで、パネル載体２０をもともと固定するための固定手段１９を第１のパネル顎部６と第２のパネル顎部７を規制するパネル規制体としての役割を持たせたものであり、パネル受け体に差し込む形態のパネル規制体の不使用とパネル受け体１３の前後幅の短縮とによる低コスト化を実現するとともに作業工程の効率化を実現する。
また、パネルの傾き設定にも固定手段１９を帰ることなく柔軟に対応できる。好ましくは、固定手段２３、固定手段１９を同じ太さと長さのビス、ボルトあるいはタップビスとするのが、作業性と経済性の点から良い。
【００２４】
パネル載体２０を設けない壁形成においては、中央に２箇所の２本、上下に２箇所ずつの４本あるいは上下中央に２箇所ずつの６本の固定手段１９による、パネル８の規制（第１のパネル顎部６と第２のパネル顎部７の規制）とするのがよい。
【００２５】
パネル載体２０を固定する箇所とは中央などの別箇所に、固定手段１９をねじ込む形態もよい。
パネル受けに差し込むパネル規制体１４を用いないで、数本のネジ部材（パネル規制体）によってパネルを規制できるので、パネル受け体に差し込む形態のパネル規制体の不使用とパネル受け体１３の前後幅の短縮とによる低コスト化を実現するとともに作業工程の効率化を実現する。
【００２６】
［付記］
＜付記１記載の発明の効果＞
パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる構造物の壁を形成するパネルと、
差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる前記構造物に固定されるパネル受け体と、
パネル受け体の後側から前記第１のパネル顎部と前記第２のパネル顎部に向けてねじ込まれて、該第１のパネル顎部と該第２のパネル顎部を第１の抜け阻止顎部と第２の抜け阻止顎部に押し付け規制し、当接規制し、あるいは該第１のパネル顎部６と該第２のパネル顎部７の動きを狭い範囲に規制するビス、タップビス、ボルトなどのねじ込み部材からなるパネル規制体とからなることを特徴とする壁形成材であるので、次に述べるような効果を奏する。
（壁の施工）
パネル受け体を縦に構造物に固定しての施工では、１段目のパネル受け体群を所定の間隔で下地に固定し、パネルの第１のパネル顎部と第２のパネル顎部をパネル受け体本体内に上方から次々と差し込んでいって第１段目の壁を形成し、次に２段目のパネル受け体群を所定の間隔で下地に固定し、パネルの第１のパネル顎部と第２のパネル顎部をパネル受け体本体内に上方から次々に差し込んでいって第２段目の壁を形成し、・・・最後に最上段のパネル受け体群を所定の間隔で下地に固定し、パネルの第１のパネル顎部と第２のパネル顎部をパネル受け体本体内に上方から次々に差し込んでいって最後の段の壁を形成して壁を完成させる。
そのさい、パネルをパネル受け体にセットするごとに、段の全てのあるいは一部のパネルをセットして、あるは数段ないし全段のパネルのセットが完了したら、パネル規制体（ビス、タップビス、ボルトなどのねじ込み部材）をねじ込み、パネル規制体の先端で第１のパネル顎部と第２のパネル顎部を押し第１の抜け阻止顎部と第２の抜け阻止顎部に押し付け規制し、当接規制し、あるいは動きを狭い範囲に規制する。
パネル間に水切りなどのパネル載体やパネル受けを設けない壁構造においては、複数段、全段のパネル受け体群を完成させてから最上段からパネルを次々とスライド下降させ取り付け、パネル規制体（ビス、タップビス、ボルトなどのねじ込み部材）をねじ込み、第１のパネル顎部と第２のパネル顎部を第１の抜け阻止顎部と第２の抜け阻止顎部に押し付け規制し、当接規制し、あるいは動きを狭い範囲に規制して、一気に壁を完成させることも可能である。
この場合、程度はあるがパネル受け体およびパネルは長いものが作業性がよいし、横幅の狭いものであれば、パネル自信の強度も強いものとなり、例えば、厚み１．５ｍｍ程度の薄鋼板という軽量鋼板パネル壁に好適であり、このような軽量パネルにおいては、１人から二人の作業員でパネルの取り回し差込が可能とできるものである。
パネル受け体はパネルの長さと同じである必要はなく、離れた複数のパネル受け体でパネルを支持する形態も良いものである。例えば、一枚のパネルを支持する下地である胴縁に数センチ〜２０センチ程度の長さのパネル受け体をそれぞれ設け、この複数のパネル受け体で一枚のパネルを支持するようにする、仮設囲いなどがあり、この場合、パネル受け体の材料費を安価にできる。
また、パネル受け体をパネルが複数枚入る長い物にすることもでき、より施工時間を短縮することを可能とできる。
（効果）
（１）下地に固定したパネル受け体にパネルの第１のパネル顎部と第２のパネル顎部をスライド差して嵌め込むだけの簡単な取り付け作業だけでパネルの取り付けが完了するので、壁の施工時間が短時間である。
（２）構造物内からの取り付け作業が行えるので、外に足場を組む必要がない。
取り付け作業中にパネルが落下しないように、ロープなどの吊り手段で吊った状態で行うのがよく、パネルが軽量であるなら一人ないし二人の作業者で行うことが可能である。
（３）差込のみによるパネルが保持される構造であるので、パネル顎部がパネル本体を折り曲げて形成したものでは、壁前側にネジ、ビス、固定金具などのパネル以外のものが無い、景観性、美観性のよい壁を実現するという効果を奏する。
（４）パネル規制体がビス、タップビス、ボルトなどのねじ込み部材であるので、中央に２箇所の２本、上下に２箇所ずつの４本あるいは上下中央に２箇所ずつの６本のパネル規制体による、パネルの規制（第１のパネル顎部と第２のパネル顎部の規制）形態とする、多くの場合は２本〜６本のパネル規制体とそれの切り込みでよいので、低コストと作業の効率化を実現するという効果を奏する。
＜付記２記載の発明の効果＞
付記１いずれか記載の発明の構成において、構造物に縦に固定されたパネル受け体にパネルが取り付けられる構成において用いるパネル載体であって、下のパネル受け体および下のパネルの上に位置するとともに、上に位置する上のパネル受け体の下に位置し且つ上のパネルが載るパネル載り部、このパネル載り部の後側に立ち上げられた後立ち上り部位、前記パネル載り部の後側に立ち下げられた後立ち下がり部位、前記パネル載り部の前側で前記下のパネルの前に立ち下げられる前立ち下がり部位とからなるとともに、前記後立ち上り部位および前記後立ち下がり部位があるいはいずれか一方が前記パネル受け体とその横隣のパネル受け体の後面にネジ、ビス、タップビス、熔接などの固定手段により固定されるパネル載体を設けてなることを特徴とする壁形成材であるので、付記１、２いずれか記載の発明と同様な効果を奏するとともに、次に述べるような効果を奏する。
下のパネルとその上のパネルの間および下のパネル受け体とその上のパネル受け体の間に設けるパネル載体なのであるが、前記後立ち上り部位および前記後立ち下がり部位があるいはいずれか一方が前記パネル受け体とその横隣のパネル受け体の後面にネジ、ビス、タップビス、熔接などの固定手段により固定されるようにしてなる構成、すなわち、一段ごとのパネル受け体とパネル載体が共同して一枚のパネルを載せてその荷重を受ける構成を実現するものであるので、数十段、数百段のパネル壁を有する数十メートル、数百メートルというような高層構造物の特に軽量壁を堅固な形態で実現するものである。
また、後立ち上り部位と前立ち下がり部位によって、雨が吹き付けても内部に雨水が入るのを阻止する水切りとしても機能するという効果を奏する。
上のパネル載体と下のパネル載体の間に複数のパネルを上下に重ね設けた形態も技術的範疇とするものである。
＜付記３記載の発明の効果＞
付記２記載の発明の構成において、パネル載体をパネル受け体に固定するためのものがネジ、ビス、タップビスなどのねじ込み部材であり、このねじ込み部材がパネル規制体であることを特徴とする壁形成材であるので、付記２記載の発明の効果と同様な効果を奏するとともに、次に述べるような効果を奏する。
パネル載体を固定するネジ、ビス、タップビスなどのねじ込み部材が、パネルを規制（第１のパネル顎部と第２のパネル顎部を規制）するパネル規制体を兼ねるので、ねじ込み部材の使用量を減らしての低コスト化と、ねじ込み部材のねじ込み作業数を減らすことによる作業の効率化、軽減化を実現するという効果を奏する。
＜付記４記載の発明の効果＞
構造物の壁を形成する壁構造であって、
前記構造物の骨組みに設けられた壁材を取り付け保持するための胴縁、間柱などの下地と、この下地に配列固定された多数のパネル受け体と、
このパネル受け体に外れないように係止された多数のパネルと、
このパネルの動きを前記パネル受け体内で規制するパネル規制体とからなり、
前記パネルが、パネル本体、このパネル本体の一方の側の内面側に突出するように設けられた第１の嵌りレール部、前記パネル本体の他方の側に前記第１の嵌りレール部に対抗する形態で設けられた第２の嵌りレール部、前記第１の嵌りレール部に内向きに突出した形態で設けられた第１のパネル顎部、前記第２の嵌りレール部に内向きに突出した形態で設けられた第２のパネル顎部を備えてなる形態であり、
前記パネル受け体が、差込スライド状態で嵌め込まれた前記パネルを支持するパネル受け体本体、このパネル受け体本体の前部面に開口された前記パネルの前記第１の嵌りレール部およびその隣のパネルである隣のパネルの前記第２の嵌りレール部が、該パネル受け体本体の端方からスライド形態で差し通される嵌りレール通部、この嵌りレール通部を形成する対抗する部位であるとともに、前記パネル受け体本体内に入った前記パネルの前記第１のパネル顎部が前記嵌りレール通部から抜け出すのを阻止する第１の抜け阻止顎部、前記パネル受け体本体内に入った前記隣のパネルの前記第２のパネル顎部が前記嵌りレール通部から抜け出すのを阻止する第２の抜け阻止顎部を備えてなる形態であり、
前記パネル規制体が、前記パネル受け体の後側から前記第１のパネル顎部と前記第２のパネル顎部に向けてねじ込まれて、該第１のパネル顎部と該第２のパネル顎部を第１の抜け阻止顎部と第２の抜け阻止顎部に押し付け規制し、当接規制し、あるいは該第１のパネル顎部６と該第２のパネル顎部７の動きを狭い範囲に規制するビス、タップビス、ボルトなどのねじ込み部材からなることを特徴とする壁構造であるので、付記１記載の発明と同様な効果を奏する。
＜付記５記載の発明の効果＞
付記４記載の発明の構成において、下地に縦にパネル受け体を固定してなる壁構造であって、下のパネル受け体および下のパネルの上に位置するとともに、上に位置する上のパネル受け体の下に位置し且つ上のパネルが載るパネル載り部、このパネル載り部の後側に立ち上げられた後立ち上り部位、前記パネル載り部の後側に立ち下げられた後立ち下がり部位、前記パネル載り部の前側で前記下のパネルの前に立ち下げられる前立ち下がり部位とからなるとともに、前記後立ち上り部位および前記後立ち下がり部位があるいはいずれか一方が前記パネル受け体とその横隣のパネル受け体の後面にネジ、ビス、タップビス、熔接などの固定手段により固定されるパネル載体を、前記下パネルと前記上パネルの間に設けてなることを特徴とする壁構造であるので、付記２記載の発明と同様な効果を奏する。
＜付記６記載の発明の効果＞
付記５記載の発明の構成において、パネル載体をパネル受け体に固定するためのものがネジ、ビス、タップビスなどのねじ込み部材であり、このねじ込み部材がパネル規制体であることを特徴とする壁形成材であるので、付記３記載の発明の効果と同様な効果を奏する。
【産業上の利用可能性】
【００２７】
本発明は構造物や壁材を製造する産業で利用される。
【図面の簡単な説明】
【００２８】
【図１】本発明を実施するための最良の第１の実施の形態を示す組立分解斜視図。
【図２】本発明を実施するための最良の第１の実施の形態を示す組立手順斜視図。
【図３】本発明を実施するための最良の第１の実施の形態を示すジョイント部を省略した組立斜視図。
【図４】本発明を実施するための最良の第１の実施の形態の部分拡大斜視図。
【図５】本発明を実施するための最良の第２の実施の形態を示す正面図。
【図６】本発明を実施するための最良の第２の実施の形態を示す天板および笠木を取除いた状態の平面図。
【図７】本発明を実施するための最良の第２の実施の形態のパネル受け体とパネルの連結部位を示す平面図。
【図８】本発明を実施するための最良の第３の実施の形態の斜視図。
【図９】本発明を実施するための最良の第４の実施の形態の斜視図。
【図１０】本発明を実施するための最良の第５の実施の形態を示す斜視図。
【図１１】本発明を実施するための最良の第６の実施の形態の部分拡大斜視図。
【図１２】本発明を実施するための最良の第７の実施の形態を示す斜視図。
【図１３】本発明を実施するための最良の第８の実施の形態のパネル受け体とパネルの連結部位を示す平面図。
【図１４】本発明を実施するための最良の第９の実施の形態のパネル受け体とパネルの連結部位を示す平面図。
【図１５】本発明を実施するための最良の第１０の実施の形態のパネル受け体とパネルの連結部位を示す平面図。
【図１６】本発明を実施するための最良の第１１の実施の形態のパネル受け体とパネルの連結部位を示す平面図。
【図１７】本発明を実施するための最良の第１２の実施の形態のパネル受け体とパネルの連結部位を示す平面図。
【図１８】本発明を実施するための最良の第１３の実施の形態のパネル受け体とパネルの連結部位を示す平面図。
【図１９】本発明を実施するための最良の第１４の実施の形態のパネル受け体とパネルの連結部位を示す平面図。
【符号の説明】
【００２９】
１：壁形成材、
２：パネル本体、
３：内面側、
４：第１の嵌りレール部、
５：第２の嵌りレール部、
６：第１のパネル顎部、
７：第２のパネル顎部、
８：パネル、
９：パネル受け体本体、
１０：嵌りレール通部、
１１：第１の抜け阻止顎部、
１２：第２の抜け阻止顎部、
１３：パネル受け体、
１４：パネル規制体、
１５：パネル載り部、
１６：後立ち上り部位、
１７：後立ち下がり部位、
１８：前立ち下がり部位、
１９：固定手段、
２０：パネル載体、
２１：ジョイント部、
２２：充填剤、
２３：固定手段、
２５：ビス通し孔、
２６：ボルト、
２７：ネジ孔、
２８：ビス通し孔、
２９：ビス切り込み孔、
３１：下地、
３２：第１の隙間、
３３：第２の隙間、
３５：構造物、
３６：煙突、
３７：骨組み、
３８：囲い壁、
３９：下地、
４０：パネル載体、
４１：突起４１、
４２：水切り、
４３：パネル載体、
４４：パネル下部嵌り溝、
４５：パネル上部嵌り溝、
４６：笠木、
４７：明り取り窓、
４８：明り取り窓、
５０：パネル本体５０、
５１：レール部材、
５２：レール部材、
５３：パネル、
５５：断熱消音部材、
５６：パネル、
５８：レール隙間差し込み部、
５９：パネル規制体部位、
６０：パネル規制体、
６２：パネル本体、
６３：パネル、
６５：壁形成材、
６６：パネル規制体、
６９：壁形成材、
７０：パネル規制体、
７２：壁形成材、
７３：リブ、
７５：壁形成材、
７６：パネル規制体、
７８：壁形成材、
７９：パネル規制体、
８１：壁形成材、
８２：パネル規制体、
８５：壁形成材、
８８：溝、
８９：ジョイント部、
９０：パネル載体挿入孔。
【図１】
2010047921.tif 000003
【図２】
2010047921.tif 000004
【図３】
2010047921.tif 000005
【図４】
2010047921.tif 000006
【図５】
2010047921.tif 000007
【図６】
2010047921.tif 000008
【図７】
2010047921.tif 000009
【図８】
2010047921.tif 000010
【図９】
2010047921.tif 000011
【図１０】
2010047921.tif 000012
【図１１】
2010047921.tif 000013
【図１２】
2010047921.tif 000014
【図１３】
2010047921.tif 000015
【図１４】
2010047921.tif 000016
【図１５】
2010047921.tif 000017
【図１６】
2010047921.tif 000018
【図１７】
2010047921.tif 000019
【図１８】
2010047921.tif 000020
【図１９】
2010047921.tif 000021